(57)【要約】【課題】内容物が残り少なくなった場合においても内容物を容易に振り出すことが可能なカード状振り出し容器を提供する。【解決手段】振り出し容器１０は、第１容器部材２０と、第２容器部材４０とを備え、第１容器部材２０の内面側に第１係合用突条３１が突設され、第２容器部材４０の内面側に第２係合用突条５１が突設されている。振り出し容器１０の側壁面１１は、第１側壁面８１と、第２側壁面８２と、第１側壁面８１及び第２側壁面８２に対して傾斜する傾斜側壁面８３とを有し、傾斜側壁面８３に開口部１２が形成されている。第２容器部材４０には、開口部１２を開閉する蓋部材６０が設けられ、第１容器部材２０及び第２容器部材４０の内側に、開口部１２の近傍に位置する第１係合用突条３１又は第２係合用突条５１から延びるガイド部材３３、３４、５３、５４が設けられている。【選択図】図１
2020128238.tif 000002
【特許請求の範囲】
【請求項１】
カード状振り出し容器であって、
第１表面部材を有する第１容器部材と、
前記第１表面部材の反対側に位置する第２表面部材を有するとともに、前記第１容器部材に組み付けられる第２容器部材とを備え、
前記第１容器部材の内面側に、複数の第１係合用突条が突設され、前記第２容器部材の内面側に、複数の第２係合用突条が突設され、
前記第１容器部材の前記複数の第１係合用突条と前記第２容器部材の前記複数の第２係合用突条とが互いに嵌合することにより、前記第１容器部材と前記第２容器部材とが組み立てられ、
前記第１容器部材の前記第１表面部材と前記第２容器部材の前記第２表面部材との間に、側壁面が形成され、
前記側壁面は、第１側壁面と、前記第１側壁面に対して直交する第２側壁面と、前記第１側壁面及び前記第２側壁面の両方に対して傾斜するように配置された傾斜側壁面とを有し、
前記傾斜側壁面に開口部が形成され、
前記第２容器部材には、前記開口部を開閉する蓋部材が設けられ、
前記第１容器部材及び前記第２容器部材のうち少なくとも一方の内面側に、前記開口部の近傍に位置する前記第１係合用突条又は前記第２係合用突条から延びるガイド部材が設けられている、カード状振り出し容器。
【請求項２】
前記蓋部材は、前記第２容器部材と一体成形されている、請求項１に記載のカード状振り出し容器。
【請求項３】
前記第１容器部材は、前記第１表面部材の周囲に設けられ、前記側壁面の一部を構成する第１側壁部分を有し、前記第２容器部材は、前記第２表面部材の周囲に設けられ、前記側壁面の一部を構成する第２側壁部分を有し、前記開口部は、前記第１容器部材の前記第１側壁部分に形成された第１開口部分と、前記第２容器部材の前記第２側壁部分に形成された第２開口部分とによって、形成されている、請求項１または２に記載のカード状振り出し容器。
【請求項４】
前記蓋部材は、前記傾斜側壁面と同一平面上にある外面を有する、請求項１乃至３のいずれか一項に記載のカード状振り出し容器。
【請求項５】
前記蓋部材は、前記第１側壁面と同一平面上にある第１外面と、前記第２側壁面と同一平面上にある第２外面とを有する、請求項１乃至３のいずれか一項に記載のカード状振り出し容器。
【発明の詳細な説明】
【技術分野】
【０００１】
本開示は、カード状振り出し容器に関する。
【背景技術】
【０００２】
従来、タブレット等の錠剤を収容する容器として、容器本体と、容器本体に嵌合固定されたカバーとを備えた粒状物収納容器が知られている（例えば特許文献１参照）。このような粒状物収納容器では、容器本体とカバーとの間に形成される収納空間に、内容物である粒状物が収納されている。また、粒状物収納容器には、粒状物収納容器の外部と収納空間とを連通し、粒状体を取り出すための開口部が設けられている。
【先行技術文献】
【特許文献】
【０００３】
【特許文献１】特開２０１５−２０９２６５号公報
【発明の概要】
【発明が解決しようとする課題】
【０００４】
しかしながら、従来の粒状物収納容器において、容器内の内容物が少なくなった場合に、収納空間に収納された内容物を開口部まで導くことが困難になる場合がある。この場合、開口部から内容物を振り出すことが困難になるおそれがある。
【０００５】
本開示は、内容物が残り少なくなった場合においても内容物を容易に振り出すことが可能なカード状振り出し容器を提供する。
【課題を解決するための手段】
【０００６】
本実施の形態によるカード状振り出し容器は、第１表面部材を有する第１容器部材と、前記第１表面部材の反対側に位置する第２表面部材を有するとともに、前記第１容器部材に組み付けられる第２容器部材とを備え、前記第１容器部材の内面側に、複数の第１係合用突条が突設され、前記第２容器部材の内面側に、複数の第２係合用突条が突設され、前記第１容器部材の前記複数の第１係合用突条と前記第２容器部材の前記複数の第２係合用突条とが互いに嵌合することにより、前記第１容器部材と前記第２容器部材とが組み立てられ、前記第１容器部材の前記第１表面部材と前記第２容器部材の前記第２表面部材との間に、側壁面が形成され、前記側壁面は、第１側壁面と、前記第１側壁面に対して直交する第２側壁面と、前記第１側壁面及び前記第２側壁面の両方に対して傾斜するように配置された傾斜側壁面とを有し、前記傾斜側壁面に開口部が形成され、前記第２容器部材には、前記開口部を開閉する蓋部材が設けられ、前記第１容器部材及び前記第２容器部材のうち少なくとも一方の内面側に、前記開口部の近傍に位置する前記第１係合用突条又は前記第２係合用突条から延びるガイド部材が設けられている。
【０００７】
本実施の形態によるカード状振り出し容器において、前記蓋部材は、前記第２容器部材と一体成形されていてもよい。
【０００８】
本実施の形態によるカード状振り出し容器において、前記第１容器部材は、前記第１表面部材の周囲に設けられ、前記側壁面の一部を構成する第１側壁部分を有し、前記第２容器部材は、前記第２表面部材の周囲に設けられ、前記側壁面の一部を構成する第２側壁部分を有し、前記開口部は、前記第１容器部材の前記第１側壁部分に形成された第１開口部分と、前記第２容器部材の前記第２側壁部分に形成された第２開口部分とによって、形成されていてもよい。
【０００９】
本実施の形態によるカード状振り出し容器において、前記蓋部材は、前記傾斜側壁面と同一平面上にある外面を有していてもよい。
【００１０】
本実施の形態によるカード状振り出し容器において、前記蓋部材は、前記第１側壁面と同一平面上にある第１外面と、前記第２側壁面と同一平面上にある第２外面とを有していてもよい。
【発明の効果】
【００１１】
本実施の形態によれば、内容物が残り少なくなった場合においても内容物を容易に振り出すことができる。
【図面の簡単な説明】
【００１２】
【図１】図１は、本実施の形態によるカード状振り出し容器を示す斜視図であって、蓋部材が閉鎖位置にある場合の図。
【図２】図２は、本実施の形態によるカード状振り出し容器を示す斜視図であって、蓋部材が開放位置にある場合の図。
【図３】図３（ａ）は、カード状振り出し容器の第１容器部材を内面側から見た平面図であり、図３（ｂ）は、カード状振り出し容器の第１容器部材を示す側面図。
【図４】図４（ａ）は、カード状振り出し容器の第２容器部材を示す側面図であり、図４（ｂ）は、カード状振り出し容器の第２容器部材を内面側から見た平面図。
【図５】図５は、第１容器部材の第１係合用突条と第２容器部材の第２係合用突条とを示す断面図。
【図６】図６は、第１容器部材の第１中央突条と第２容器部材の第２中央突条とを示す断面図。
【図７】図７（ａ）は、カード状振り出し容器を示す断面図（図１のVIIa-VIIa線断面図）であり、図７（ｂ）は、カード状振り出し容器を示す断面図（図７（ａ）のVIIb-VIIb線断面図）。
【図８】図８（ａ）−（ｂ）は、蓋部材が閉鎖位置と開放位置との間で移動する状態を示す断面図（図７（ｂ）に相当する断面図）。
【図９】図９は、変形例によるカード状振り出し容器を示す平面図。
【図１０】図１０は、変形例によるカード状振り出し容器を示す斜視図であって、蓋部材が閉鎖位置にある場合の図。
【図１１】図１１は、本実施の形態によるカード状振り出し容器を示す斜視図であって、蓋部材が開放位置にある場合の図。
【発明を実施するための形態】
【００１３】
以下、カード状振り出し容器の一実施の形態について、図１乃至図８を用いて説明する。図１乃至図８は、一実施の形態を示す図である。
【００１４】
図１及び図２に示すように、本実施の形態によるカード状振り出し容器（以下、振り出し容器ともいう）１０は、例えば、厚板状の円形状の錠剤であるタブレット等の内容物Ｔを複数個収容する容器である。この振り出し容器１０は、第１容器部材２０と、第１容器部材２０に組み付けられる第２容器部材４０とを備えている。また振り出し容器１０は、周縁に形成された側壁面１１を有している。
【００１５】
この側壁面１１は、一対の第１側壁面８１と、第１側壁面８１に直交する一対の第２側壁面８２と、第１側壁面８１及び第２側壁面８２の両方に対して傾斜するように配置された傾斜側壁面８３とを有している。側壁面１１のうち、傾斜側壁面８３には、内容物Ｔを取り出すための開口部１２が形成されている。傾斜側壁面８３に開口部１２が形成されることにより、内容物Ｔの残量が少なくなった場合であっても、内容物Ｔを開口部１２に容易に導くことができる。さらに側壁面１１には、開口部１２を開閉する蓋部材６０が設けられている。この蓋部材６０は、開口部１２を開放する開放位置（図２）と、開口部１２を覆う閉鎖位置（図１）とをとることができる。
【００１６】
次に、第１容器部材２０について説明する。図３（ａ）（ｂ）に示すように、第１容器部材２０は、第１表面部材２１と、第１表面部材２１の周囲に設けられた第１側壁部分２２とを有する。このうち第１表面部材２１は、平面視略五角形形状（角部が丸みを帯びた五角形形状）を有している。第１表面部材２１の外面には、平面視略長方形形状の開放用凹部２３が形成されている。この開放用凹部２３は、蓋部材６０に対する使用者の指の指掛かり性を向上させる役割を果たす。なお、本明細書中、「平面視」とは、第１表面部材２１及び第２表面部材４１の法線方向から見ることをいう。
【００１７】
また、第１側壁部分２２は、第１表面部材２１の周縁に沿って、第１表面部材２１から、第１表面部材２１の内面側に突出するように形成されている。第１側壁部分２２には、第１段部２４が形成されている。この第１段部２４は、後述する第２容器部材４０の第２段部４４と嵌合するようになっている。この第１側壁部分２２と、後述する第２容器部材４０の第２側壁部分４２とにより、振り出し容器１０の側壁面１１が構成される。また、第１側壁部分２２のうち、傾斜側壁面８３に対応する部分には、第１側壁部分２２を厚み方向に貫通する第１開口部分２５が形成されている。第１開口部分２５は、後述する第２容器部材４０の第２開口部分４５と対応しており、第１開口部分２５と第２開口部分４５とによって、振り出し容器１０の開口部１２が形成される。さらに第１側壁部分２２のうち第１開口部分２５の両側に、略長方形形状の第１側壁凹部２６がそれぞれ形成されている。この第１側壁凹部２６には、蓋部材６０が収容されるようになっている。また第１側壁凹部２６には、蓋部材６０の後述する第２係合突起６５と係合する第１係合突起２７が形成されており、第１側壁凹部２６の第１係合突起２７と、蓋部材６０の第２係合突起６５とが係合することにより、蓋部材６０が閉鎖位置にロックされるように構成されている。なお、第１側壁部分２２の高さＨ１は、第１開口部分２５を除き、周方向に略一定となっている。
【００１８】
次に、第２容器部材４０について説明する。図４（ａ）（ｂ）に示すように、第２容器部材４０は、第２表面部材４１と、第２表面部材４１の周囲に設けられた第２側壁部分４２とを有する。このうち第２表面部材４１は、平面視略五角形形状（角部が丸みを帯びた五角形形状）を有している。なお、第２表面部材４１の形状は、第１表面部材２１の形状と略同一となっている。この第２表面部材４１は、第１容器部材２０と第２容器部材４０とを組み立てた状態で、第１表面部材２１の反対側に位置し、第１表面部材２１と第２表面部材４１と側壁面１１（第１側壁部分２２及び第２側壁部分４２）とにより、内容物Ｔを収容する空間が構成される。
【００１９】
また、第２側壁部分４２は、第２表面部材４１の周縁に沿って、第２表面部材４１から、第２表面部材４１の内面側に突出するように形成されている。第２側壁部分４２には、第２段部４４が形成されている。また、第２側壁部分４２のうち、傾斜側壁面８３に対応する部分には、第２側壁部分４２を厚み方向に貫通する第２開口部分４５が形成されている。さらに第２側壁部分４２のうち第２開口部分４５の両側に、略長方形形状の第２側壁凹部４６がそれぞれ形成されている。この第２側壁凹部４６には、蓋部材６０が収容されるようになっている。なお、第２側壁部分４２の高さＨ２は、第２開口部分４５を除き、周方向に略一定となっている。
【００２０】
図３（ａ）（ｂ）に示すように、第１容器部材２０の内面側に、複数の第１係合用突条３１が配置されている。この複数の第１係合用突条３１は、第１表面部材２１から第１表面部材２１の内面側に向けて突設されている。この場合、第１係合用突条３１は、第１側壁部分２２に沿って７箇所設けられているが、第１係合用突条３１の数や場所はこれに限定されるものではない。さらに、第１容器部材２０の内面側中央には、第１中央突条３２が配置されている。この第１中央突条３２は、第１表面部材２１から、第１表面部材２１の内面側に向けて突設されている。
【００２１】
また、第１容器部材２０の内面側において、第１開口部分２５の近傍に位置する１つの第１係合用突条３１から第１側壁部分２２まで延びる第１ガイド部材３３が設けられている。この第１ガイド部材３３は、少なくとも一部分が第１開口部分２５の一端（図３（ａ）における上側の端部）近傍の第１係合用突条３１よりも第１中央突条３２の近くに位置し、第１側壁部分２２から第１開口部分２５の近傍まで直線状に延びる板状の部材からなる。このように、第１ガイド部材３３を設けたことにより、内容物Ｔが第１係合用突条３１に引っ掛かることなく開口部１２まで導きやすくすることができる。また、第１容器部材２０の他の第１係合用突条３１から第１側壁部分２２まで延びる第２ガイド部材３４が設けられている。第２ガイド部材３４は、少なくとも一部分が第１開口部分２５の他端（図３（ａ）における下側の端部）近傍の第１係合用突条３１よりも第１中央突条３２の近くに位置し、第１側壁部分２２から第１開口部分２５の近傍まで直線状に延びる板状の部材からなる。第２ガイド部材３４を設けたことにより、内容物Ｔが第１係合用突条３１に引っ掛かることなく開口部１２まで導きやすくすることができる。
【００２２】
また、図４（ａ）（ｂ）に示すように、第２容器部材４０の内面側に、複数の第２係合用突条５１が配置されている。この複数の第２係合用突条５１は、第２表面部材４１から第２表面部材４１の内面側に向けて突設されている。この場合、各第２係合用突条５１は、第１容器部材２０の各第１係合用突条３１に対応する位置に配置されている。さらに、第２容器部材４０の内面側中央には、第２中央突条５２が配置されている。この第２中央突条５２は、第１容器部材２０の第１中央突条３２に対応する位置に配置されている。
【００２３】
第２容器部材４０の内面側において、第２開口部分４５の近傍に位置する１つの第２係合用突条５１から第２側壁部分４２まで延びる第３ガイド部材５３が設けられている。この第３ガイド部材５３は、少なくとも一部分が第２開口部分４５の一端（図４（ａ）における上側の端部）近傍の第２係合用突条５１よりも第２中央突条５２の近くに位置し、第２側壁部分４２から第２開口部分４５の近傍まで直線状に延びる板状の部材からなる。第３ガイド部材５３は、第１容器部材２０の第１ガイド部材３３に対応する位置に設けられている。このように、第３ガイド部材５３を設けたことにより、内容物Ｔが第２係合用突条５１に引っ掛かることなく開口部１２まで導きやすくすることができる。また、第２容器部材４０の他の第２係合用突条５１から第２側壁部分４２まで延びる第４ガイド部材５４が設けられている。第４ガイド部材５４は、少なくとも一部分が第２側壁凹部４６の他端（図４（ａ）における下側の端部）近傍の第２係合用突条５１よりも第２中央突条５２の近くに位置し、第２側壁部分４２から第２開口部分４５の近傍まで直線状に延びる板状の部材からなる。第４ガイド部材５４は、第１容器部材２０の第２ガイド部材３４に対応する位置に設けられている。第４ガイド部材５４を設けたことにより、内容物Ｔが第１係合用突条３１に引っ掛かることなく開口部１２まで導きやすくすることができる。なお、このようなガイド部材は、第１容器部材２０及び第２容器部材４０のいずれか一方のみに設けられていても良い。
【００２４】
第１容器部材２０と第２容器部材４０とを組み付ける場合、第１容器部材２０の複数の第１係合用突条３１と第２容器部材４０の複数の第２係合用突条５１とが互いに嵌合する。これにより、第１容器部材２０と第２容器部材４０とが互いに組み立てられる。すなわち図５に示すように、第１容器部材２０の第１係合用突条３１は、第１基部３５と、第１基部３５から外方に突出する嵌合突起３６とを有している。また第１係合用突条３１には、中央に突条溝３７が形成されている。一方、第２容器部材４０の第２係合用突条５１は、円筒状の第２基部５５と、第２基部５５から内方に突出する係止突起５６とを有している。第１係合用突条３１の嵌合突起３６が第２係合用突条５１の係止突起５６に係合することにより、第１係合用突条３１と第２係合用突条５１とが互いに嵌合される。これにより、第１容器部材２０と第２容器部材４０とが互いに容易に外れないように組み付けられる。
【００２５】
一方、図６に示すように、第１容器部材２０の第１中央突条３２は、第１表面部材２１内側に向けて突出する円柱状の中央突起３８を有している。一方、第２容器部材４０の第２中央突条５２は、円筒状の中央凹部５７を有している。そして第１容器部材２０と第２容器部材４０とが互いに組み付けられた際、第１中央突条３２の中央突起３８が第２中央突条５２の中央凹部５７に収容される。これにより、第１表面部材２１及び第２表面部材４１の中央部における変形を抑制することができる。
【００２６】
次に、蓋部材６０について、図４（ａ）−（ｂ）および図７（ａ）−（ｂ）を参照して説明する。図４（ｂ）および図７（ｂ）に示すように、蓋部材６０は、ヒンジ６１を介して、第２容器部材４０に連結されている。これにより、蓋部材６０は、第２容器部材４０に対してヒンジ６１を軸として回動可能に設けられている。また、図４（ａ）−（ｂ）および図７（ａ）−（ｂ）に示すように、蓋部材６０は、本体部６２と、本体部６２の略中央部分に設けられた四角筒形状の収納部６３とを有する。このうち本体部６２は、図７（ｂ）に示すように、本体部６２の幅方向に沿った断面において略Ｃ字形状を有している。また、図４（ａ）−（ｂ）および図７（ａ）に示すように、本体部６２の長手方向における各端面６４に、第２係合突起６５がそれぞれ設けられている。この第２係合突起６５は、蓋部材６０が閉鎖位置（図１参照）にあるとき、第１容器部材２０の第１係合突起２７にそれぞれ係合する。
【００２７】
収納部６３は、内容物Ｔを収納することにより、振り出し容器１０に収容された内容物を１粒ずつ取り出す役割を果たす。この収納部６３の寸法は、開口部１２の寸法よりも小さくなっており、蓋部材６０が閉鎖位置にあるとき、収納部６３の一部分が開口部１２に嵌まり込むようになっている。
【００２８】
上述した蓋部材６０は、蓋部材６０が閉鎖位置にあるとき、傾斜側壁面８３と同一平面上にある外面６０ａを有する。このため、振り出し容器１０は、平面視略五角形形状を有する。
【００２９】
上述した第１容器部材２０、第２容器部材４０及び蓋部材６０の材料としては、例えばポリプロピレン（ＰＰ）等の合成樹脂を用いることができる。第１容器部材２０、第２容器部材４０及び蓋部材６０を作製する方法としては、射出成形法を挙げることができる。また、本実施の形態では、蓋部材６０とヒンジ６１と第２容器部材４０とは、一体成形されている。
【００３０】
次に、このような構成からなる本実施の形態について説明する。具体的には、振り出し容器１０から、タブレット等の内容物Ｔを取り出す際の作用について、説明する。
【００３１】
はじめに、図１に示すように、蓋部材６０は閉鎖位置にあり、側壁面１１の開口部１２を閉鎖している。このとき蓋部材６０の各第２係合突起６５が、第１容器部材２０の各第１係合突起２７に係合し（図７（ａ）参照）、蓋部材６０が閉鎖位置において第１容器部材２０にロックされる。
【００３２】
次に、使用者は、振り出し容器１０を振ることにより、内容物Ｔを開口部１２まで誘導する。この際、開口部１２は、傾斜側壁面８３に形成されている。また、第１容器部材２０及び第２容器部材４０の内面側に、開口部１２の近傍に位置する第１係合用突条３１および第２係合用突条５１から延びる第１ガイド部材３３乃至第４ガイド部材５４が設けられている。これにより、振り出し容器１０内で内容物Ｔが第１係合用突条３１又は第２係合用突条５１に引っ掛かることを抑え、内容物Ｔを開口部１２までスムーズに導くことができる。
【００３３】
次いで、開口部１２まで誘導された内容物Ｔは、開口部１２を通過して、蓋部材６０の収納部６３に収容される。
【００３４】
次に、蓋部材６０を回動させ、蓋部材６０を閉鎖位置から開放位置まで移動する。このとき、図８（ａ）に示すように、使用者が開放用凹部２３に指を掛ける。これにより、使用者の指が蓋部材６０に当接する。次に、図８（ｂ）に示すように、使用者が、蓋部材６０を第２容器部材４０に対してヒンジ６１を軸として回動させる。これにより、蓋部材６０のロックが解除される。このようにして、蓋部材６０が開放位置をとり、開口部１２が開放される。その後、使用者は、蓋部材６０の収納部６３に収納された内容物Ｔを収納部６３から取り出すことにより、内容物Ｔを振り出し容器１０から取り出すことができる。
【００３５】
内容物Ｔを取り出した後、使用者は、上記と逆の手順で蓋部材６０を開放位置から閉鎖位置に移動し、蓋部材６０を第１容器部材２０に対してロックする。
【００３６】
このように本実施の形態によれば、傾斜側壁面８３に開口部１２が形成され、第１容器部材２０には、開口部１２を開閉する蓋部材６０が設けられ、第１容器部材２０及び第２容器部材４０の内側に、開口部１２の近傍に位置する第１係合用突条３１又は第２係合用突条５１から延びる第１ガイド部材３３乃至第４ガイド部材５４が設けられている。これにより、振り出し容器１０内で内容物Ｔが第１係合用突条３１又は第２係合用突条５１に引っ掛かることを抑え、内容物Ｔを開口部１２までスムーズに誘導することができる。また、第１ガイド部材３３乃至第４ガイド部材５４が設けられていることにより、これらが補強リブとしての役割を果たし、開口部１２周辺における第１容器部材２０及び第２容器部材４０の強度を高めることができる。
【００３７】
また本実施の形態によれば、蓋部材６０は、第２容器部材４０と一体成形されている。これにより、開口部１２を開閉する蓋部材６０を容易に形成することができる。
【００３８】
また本実施の形態によれば、第１容器部材２０は、第１表面部材２１の周囲に設けられ、側壁面１１の一部を構成する第１側壁部分２２を有し、第２容器部材４０は、第２表面部材４１の周囲に設けられ、側壁面１１の一部を構成する第２側壁部分４２を有し、開口部１２は、第１容器部材２０の第１側壁部分２２に形成された第１開口部分２５と、第２容器部材４０の第２側壁部分４２に形成された第２開口部分４５とによって、形成されている。これにより、側壁面１１に形成される開口部１２の大きさを大きくすることができる。このため、内容物Ｔを取り出しやすくすることができる。
【００３９】
また本実施の形態によれば、蓋部材６０は、傾斜側壁面８３と同一平面上にある外面６０ａを有する。この場合、振り出し容器１０は、平面視略五角形形状を有している。このため、振り出し容器１０において、振り出し容器１０が平面視略長方形形状（角が丸みを帯びた長方形形状）を有する場合と比較して、使用する樹脂量を低減することができる。また、蓋部材６０が傾斜側壁面８３と同一平面上にある外面６０ａを有し、振り出し容器１０は、平面視略五角形形状を有していることにより、使用者が、蓋部材６０の位置を容易に判断することができる。
【００４０】
（変形例）
次に、図９乃至図１１を参照して、カード状振り出し容器の変形例について説明する。図９乃至図１１において、図１乃至図８に示す形態と同一部分には同一の符号を付して詳細な説明は省略する。
【００４１】
図９乃至図１１に示す振り出し容器１０Ａにおいて、蓋部材６０は、第１側壁面８１と同一平面上にある第１外面６０ｂと、第２側壁面８２と同一平面上にある第２外面６０ｃとを有している。この場合、図９に示すように、蓋部材６０は、平面視略三角形形状（角に１つが丸みを帯びた三角形形状）を有し、振り出し容器１０Ａは、平面視略長方形形状（角が丸みを帯びた長方形形状）を有している。また、図１１に示すように、蓋部材６０の収納部６３は、本体部６２から突出する一対の壁状の部材６３ａから構成されている。この一対の壁状の部材６３ａは、蓋部材６０が閉鎖位置にある際に本体部６２から振り出し容器１０Ａの内部に向かって延びるようになっている。また、この一対の壁状の部材６３ａには、第１側壁凹部２６と係合する第３係合突起６５がそれぞれ形成されており、一対の壁状の部材６３ａの第３係合突起６５と、第１側壁凹部２６とが係合することにより、蓋部材６０が閉鎖位置にロックされるように構成されている。図９乃至図１１に示す変形例においても、振り出し容器１０内で内容物Ｔが第１係合用突条３１又は第２係合用突条５１に引っ掛かることを抑え、内容物Ｔを開口部１２までスムーズに誘導することができる。
【００４２】
本開示は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。実施の形態に示される全構成要素から幾つかの構成要素を削除してもよい。
【符号の説明】
【００４３】
１０        カード状振り出し容器
１０Ａ      カード状振り出し容器
１１        側壁面
１２        開口部
２０        第１容器部材
２１        第１表面部材
２２        第１側壁部分
２５        第１開口部分
３１        第１係合用突条
３３        第１ガイド部材
３４        第２ガイド部材
４０        第２容器部材
４１        第２表面部材
４２        第２側壁部分
４５        第２開口部分
５１        第２係合用突条
５２        第２中央突条
５３        第３ガイド部材
５４        第４ガイド部材
６０        蓋部材
６０ａ      外面
６０ｂ      第１外面
６０ｃ      第２外面
８１        第１側壁面
８２        第２側壁面
８３        傾斜側壁面
【図１】
2020128238.tif 000003
【図２】
2020128238.tif 000004
【図３】
2020128238.tif 000005
【図４】
2020128238.tif 000006
【図５】
2020128238.tif 000007
【図６】
2020128238.tif 000008
【図７】
2020128238.tif 000009
【図８】
2020128238.tif 000010
【図９】
2020128238.tif 000011
【図１０】
2020128238.tif 000012
【図１１】
2020128238.tif 000013